(57)【要約】【課題】リニアソレノイド１において、オイルを速やかに温めることができるようにしてプランジャ４の移動を円滑にし、応答性を高める。【解決手段】リニアソレノイド１によれば、第２の呼吸路６Ｂは、コイル２の内周側、かつ、ステータコア５の外周側に形成される。そして、第２の呼吸路６Ｂでは、プランジャ４の軸方向への移動に応じ、オイルが軸方向に移動してヨーク９の外周側の領域との間で流出入する。これにより、第２の呼吸路６Ｂでは、コイル２の外周側に形成された従来の呼吸路よりも、コイル２への通電に伴う発熱によってオイルを加熱しやすくなる。このため、リニアソレノイド１において、従来よりも速やかにオイルを温めることができるので、プランジャ４の移動を円滑にして応答性を高めることができる。【選択図】図１
2015034576.tif 000002
【特許請求の範囲】
【請求項１】
コイル（２）の内周側で軸方向に可動である磁性体製のプランジャ（４）と、
前記コイル（２）への通電により発生する磁束によって前記プランジャ（４）を軸方向へ吸引する磁性体製の磁気吸引コア（１６）、および、前記コイル（２）の内周側に配置されて前記プランジャ（４）の外周を覆い、前記プランジャ（４）を軸方向に摺動自在に支持するとともに前記プランジャ（４）との間で径方向に磁束を受け渡す筒状かつ磁性体製の摺動コア（１７）を有し、前記磁気吸引コア（１６）および前記摺動コア（１７）が磁気遮蔽部（１８）を間に介して軸方向に並ぶステータコア（５）と、
前記コイル（２）の内周側、かつ、前記ステータコア（５）の外周側に形成される流路であり、前記プランジャ（４）の軸方向への移動に応じ、流体を軸方向に導いて前記コイル（２）の外周側の領域との間で流出入させる呼吸路（６Ｂ）とを備えるリニアソレノイド（１）。
【請求項２】
請求項１に記載のリニアソレノイド（１）において、
前記リニアソレノイド（１）の軸心をζ軸とする円柱座標系ｒθζを想定し、前記ζ軸の方向を水平方向に略一致させた状態において、前記コイル（２）に通電して前記プランジャ（４）を軸方向に移動させ、前記呼吸路（６Ｂ）に前記コイル（２）の外周側の領域から流体を流入させるとき、
前記呼吸路（６Ｂ）には、流体が旋回して軸方向以外に周方向に流速成分が生じることで鉛直上向きに流速成分が発生する特定流路範囲（３３）が形成され、
この特定流路範囲（３３）は、前記ζ軸の方向を水平方向に略一致させ、かつ、前記リニアソレノイド（１）のθに関する特定の方位（α）を鉛直上向きに指向させたときに、θに関し合計で９０°以上の角度範囲となるように分散して、または一連で形成され、
さらに、前記特定流路範囲（３３）は、前記ζ軸の方向を水平方向に略一致させ、かつ、前記特定の方位（α）を鉛直下向きに指向させたときにも、θに関し合計で９０°以上の角度範囲となるように分散して、または一連で形成されることを特徴とするリニアソレノイド（１）。
【発明の詳細な説明】
【技術分野】
【０００１】
本発明は、リニアソレノイドに関するものであり、例えば、車両に搭載される自動変速機の油圧制御装置において油路を切り替える弁体を直線的に駆動するために好適に利用することができる。
【背景技術】
【０００２】
従来から、特許文献１のように、リニアソレノイドでは、磁性体製のプランジャ、磁性体製のヨーク、ならびに、磁気吸引コア、摺動コアおよび磁気遮断部が一体化されたステータコアを備えるものが公知である。
この公知のリニアソレノイドによれば、プランジャはコイルの内周側で軸方向に可動であり、ヨークは開口および底部を有するカップ形状に設けられてコイルの外周を覆う。
【０００３】
また、ステータコアの内、磁気吸引コアは、磁性体製であり、コイルへの通電により発生する磁束によってプランジャを軸方向へ吸引する。摺動コアは、磁性体製であって筒状に設けられ、コイルの内周側に配置されてプランジャの外周を覆い、プランジャを軸方向に摺動自在に支持するとともにプランジャとの間で径方向に磁束を受け渡す。磁気遮蔽部は、磁気吸引コアと摺動コアとの間の磁束の受渡を遮断する。
【０００４】
ところで、特許文献１のリニアソレノイドでは、摺動コアを軸方向に円滑に移動させるために、オイルの呼吸路が設定されている。すなわち、リニアソレノイドでは、ヨークの外周側（リニアソレノイドの外部）と摺動コアの内周との間でオイルを移動させる呼吸路が設けられ、プランジャが磁気吸引コアに吸引されて移動すると、呼吸路を通じて外部から摺動コアの内周にオイルが導入される。
しかし、特許文献１のリニアソレノイドによれば、オイルの温度が低くなって粘度が高くなると、オイルが呼吸路で流動しにくくなる。このため、プランジャの移動が妨げられ、応答性が低下する。
【先行技術文献】
【特許文献】
【０００５】
【特許文献１】特開２００５−３０８１６１号公報
【発明の概要】
【発明が解決しようとする課題】
【０００６】
本発明は、上記の問題点を解決するためになされたものであり、その目的は、リニアソレノイドにおいて、オイルを速やかに温めることができるようにしてプランジャの移動を円滑にし、応答性を高めることにある。
【課題を解決するための手段】
【０００７】
本願の第１発明によれば、リニアソレノイドは、以下のプランジャ、ステータコアおよび呼吸路を備える。
まず、プランジャは、磁性体製であってコイルの内周側で軸方向に可動である。また、ステータコアは、磁気吸引コアおよび摺動コアを有し、磁気吸引コアおよび摺動コアが磁気遮蔽部を間に介して軸方向に並ぶ。ここで、磁気吸引コアは、磁性体製であってコイルへの通電により発生する磁束によってプランジャを軸方向へ吸引するものである。また、摺動コアは、筒状かつ磁性体製であってコイルの内周側に配置されてプランジャの外周を覆い、プランジャを軸方向に摺動自在に支持するとともにプランジャとの間で径方向に磁束を受け渡すものである。
【０００８】
さらに、呼吸路は、コイルの内周側、かつ、ステータコアの外周側に形成され、プランジャの軸方向への移動に応じ、流体を軸方向に移動させてコイルの外周側の領域との間で流出入させる。
これにより、呼吸路に留まるオイルは、コイル通電に伴う発熱により加熱されやすくなる。このため、リニアソレノイドにおいて、オイルを速やかに温めることができるので、プランジャの移動を円滑にして応答性を高めることができる。
【０００９】
本願の第１発明に従属する第２発明によれば、リニアソレノイドの軸心をζ軸とする円柱座標系ｒθζを想定し、ζ軸の方向を水平方向に略一致させた状態において、コイルに通電してプランジャを軸方向に移動させ、呼吸路にコイルの外周側の領域から流体を流入させるとき、呼吸路には、流体が旋回して軸方向以外に周方向に流速成分が生じることで鉛直上向きに流速成分が発生する特定流路範囲が形成される。
【００１０】
また、特定流路範囲は、ζ軸の方向を水平方向に略一致させ、かつ、リニアソレノイドのθに関する特定の方位（α）を鉛直上向きに指向させたときに、θに関し合計で９０°以上の角度範囲となるように分散して、または一連で形成される。さらに、特定流路範囲は、ζ軸の方向を水平方向に略一致させ、かつ、特定の方位（α）を鉛直下向きに指向させたときにも、θに関し合計で９０°以上の角度範囲となるように分散して、または一連で形成される。
【００１１】
これにより、リニアソレノイドを天地逆転させる前後、いずれでも呼吸路を迷路構造としてプランジャと摺動コアとの摺接領域に異物が到達するのを回避することができる（迷路構造については実施例の中で説明する。）。このため、リニアソレノイドの搭載場所に対する自由度を高めることができる。
【図面の簡単な説明】
【００１２】
【図１】リニアソレノイドの鉛直方向に平行な断面図である。
【図２】リニアソレノイドの水平方向に平行な断面図である。
【図３】リニアソレノイドの正面図である。
【図４】図１のＩＶ−ＩＶ断面図である。
【図５】図１のＶ−Ｖ断面図である。
【図６】図１のＶＩ−ＶＩ断面図である。
【図７】図１のＶＩＩ−ＶＩＩ断面図である。
【図８】図１のＶＩＩＩ−ＶＩＩＩ断面図である。
【図９】ＩＶ−ＩＶ断面図を天地逆転させた断面図である。
【図１０】Ｖ−Ｖ断面図を天地逆転させた断面図である。
【図１１】ＶＩ−ＶＩ断面図を天地逆転させた断面図である。
【図１２】ＶＩＩ−ＶＩＩ断面図を天地逆転させた断面図である。
【図１３】ＶＩＩＩ−ＶＩＩＩ断面図を天地逆転させた断面図である。
【図１４】油圧制御装置の左右どちらの側からもリニアソレノイドを装着することができる様子を示す説明図である。
【発明を実施するための形態】
【００１３】
実施形態のリニアソレノイドを、実施例を用いて説明する。
【実施例】
【００１４】
〔実施例の構成〕
実施例のリニアソレノイド１の構成を、図面を用いて説明する。
リニアソレノイド１は、コイル２への通電により発生する磁束によって磁気的な吸引力を発生させ、直線的に作用する推力として出力するものである。また、リニアソレノイド１は、例えば、車両に搭載される自動変速機の油圧制御装置３（図１４参照。）において油路を切り替える弁体（図示せず。）を直線的に駆動するために利用され、作動油（オイル）に浸っている。
そして、リニアソレノイド１は、以下に説明するプランジャ４、ステータコア５および第１、第２の呼吸路６Ａ、６Ｂを備える。
【００１５】
プランジャ４は、強磁性材料を素材として設けられた略円柱形状の磁性体金属であり、ステータコア５の内周面に直接摺動し、コイル２の内周側で軸方向に可動となっている。また、プランジャ４の軸方向一端面には、推力を弁体に出力するシャフト８が当接している。そして、プランジャ４は、弁体およびシャフト８に伝わるスプリング（図示せず。）の付勢力によって軸方向他端側に付勢され、ヨーク９に設けられた突出し１０に当接している。
【００１６】
また、コイル２への通電により磁束が発生すると、プランジャ４は、ステータコア５により磁気的に吸引されて軸方向一端側に移動を始め、シャフト８を介して弁体を駆動する。ここで、プランジャ４には、軸方向に貫通する貫通孔１１が設けられ、貫通孔１１は、プランジャ４の軸方向一端側と他端側との間で流体を移動させる第１の呼吸路６Ａとして機能する。
【００１７】
なお、コイル２は、絶縁被覆が施された導線（エナメル線等）を樹脂性のボビン１２の周囲に多数巻回したものであり、ボビン１２とともにコイルアッシー１３を形成する。また、コイルアッシー１３にはコネクタ１４が設けられ、コネクタ１４は、リニアソレノイド１の軸方向一端寄りの位置で外周側に突出する。
【００１８】
ステータコア５は、磁気吸引コア１６および摺動コア１７を有し、磁気吸引コア１６および摺動コア１７が磁気遮蔽部１８を間に介して軸方向に並ぶように一体化されたものであり、コイルアッシー１３の内周側および軸方向一端側に配置される。
【００１９】
磁気吸引コア１６は、強磁性材料を素材として設けられ、コイル２への通電により発生する磁束によってプランジャ４を軸方向一端側へ吸引する。また、磁気吸引コア１６は、コイルアッシー１３の軸方向一端側に配置されてヨーク９と磁気的に結合するフランジ部１６ａと、コイルアッシー１３の内周側に配置されてプランジャ４と軸方向に対向するとともに、シャフト８を軸方向に摺動自在に支持する吸引部１６ｂとを有する。
【００２０】
ここで、ヨーク９は、強磁性材料を素材として、開口９ａ、底部９ｂおよび側部９ｃを有するカップ形状に設けられて側部９ｃによりコイルアッシー１３の外周を覆うとともに底部９ｂによりコイルアッシー１３の軸方向他端を覆い、コイル２への通電により発生する磁束を通す。また、開口９ａを形成する軸方向一端の爪部９ｄは、ヨーク９の内周にプランジャ４、ステータコア５およびコイルアッシー１３等を収容した後、カシメられてフランジ部１６ａに強固に一体化され磁気的に結合する。
なお、シャフト８および磁気吸引コア１６には、シャフト８の抜け出しを防止するための係合構造１９が設けられている。
【００２１】
摺動コア１７は、強磁性材料を素材として円筒状に設けられ、磁気遮蔽部１８を介して磁気吸引コア１６の軸方向他端側に連続する。また、摺動コア１７は、コイルアッシー１３の内周側に配置されてプランジャ４の外周をほぼ全方位で覆い、プランジャ４を軸方向に摺動自在に支持するとともにプランジャ４との間で径方向に磁束を受け渡す。なお、プランジャ４の外周面または摺動コア１７の内周面の少なくとも一方に非磁性処理が施されており、プランジャ４と摺動コア１７との固着が防止されている。
【００２２】
磁気遮蔽部１８は、磁気吸引コア１６と摺動コア１７との間で直接磁束が通るのを阻止する部分であり、磁気吸引コア１６および摺動コア１７と一体に設けられた薄肉部２１と、薄肉部２１の外周側の空洞２２とにより形成されている。なお、薄肉部２１の内周は摺動コア１７の内周と同径であって、同一円筒面を形成する。
【００２３】
また、摺動コア１７の軸方向他端の外周には強磁性材料を素材とするリングコア２３が装着され、リングコア２３は、ヨーク９の底部９ｂと摺動コア１７との間で磁束を受け渡す。ここで、リングコア２３は、円筒状の第１受渡部２３ａと鍔状の第２受渡部２３ｂとからなる。まず、第１受渡部２３ａは、摺動コア１７の軸方向他端の外周を覆うとともに摺動コア１７の外周に摺動自在となるように装着され、摺動コア１７との間で径方向に磁束を受け渡す。また、第２受渡部２３ｂは、鍔の部分であって第１受渡部２３ａから外周側に円板状に広がり、底部９ｂに当接して底部９ｂとの間で軸方向に磁束を受け渡す。
【００２４】
なお、コイルアッシー１３の軸方向他端と第２受渡部２３ｂとの間には、ウェーブワッシャ２４が配置され、第２受渡部２３ｂは、ウェーブワッシャ２４により底部９ｂに押し付けられている。また、ボビン１２の軸方向他端には、ウェーブワッシャ２４の位置決め２５がボビン１２と同軸の円環状に設けられている。
【００２５】
第１、第２の呼吸路６Ａ、６Ｂは、プランジャ４の軸方向への移動に応じ、摺動コア１７の内周とヨーク９の外周側（リニアソレノイド１の外部）との間で流体を移動させて、プランジャ４の移動を円滑にするものである。
なお、リニアソレノイド１はオイルに浸っているので、第１、第２の呼吸路６Ａ、６Ｂを流れる流体はオイルである。
【００２６】
第１の呼吸路６Ａは、主に、プランジャ４の貫通孔１１により形成され、プランジャ４の軸方向一端側の領域Ａと他端側の領域Ｂとの間でオイルを移動させる。
ここで、領域Ａとは、主にプランジャ４と磁気吸引コア１６とが軸方向に対向して形成される空間であり、領域Ｂとは、主にプランジャ４、摺動コア１７、リングコア２３およびヨーク９の底部９ｂにより囲われる空間である。
【００２７】
第２の呼吸路６Ｂは、コイル２の内周側、かつ、ステータコア５の外周側に形成され、プランジャ４の軸方向への移動に応じ、オイルを軸方向に移動させて領域Ｂとリニアソレノイド１の外部との間で流出入させる。
【００２８】
以下、第２の呼吸路６Ｂについて詳述する。
なお、以下の第２の呼吸路６Ｂに関する説明では、リニアソレノイド１の外部から領域Ｂに向ってオイルが流入する流れを用いるので、この流れに基づき上下流を考える。また、リニアソレノイド１の軸心をζ軸とする円柱座標系ｒθζを想定すると、リニアソレノイド１は、ζ軸の方向が水平方向に略一致するように、かつ、特定のθの方位αが鉛直上向きを指向するように（図３〜図８参照。）、油圧制御装置３に装着されている。
【００２９】
ここで、方位αを規定するθの値は、例えば、ζ軸から垂直にコネクタ１４の中央に向かう方位をθ＝０°とみなしたときに、リニアソレノイド１を軸方向一端側からみて反時計回りに計った９０°（軸方向他端側からみて時計回りに計った９０°）である（図３等参照。）。
【００３０】
第２の呼吸路６Ｂは、磁気吸引コア１６のフランジ部１６ａ、吸引部１６ｂそれぞれに設けられた肉盗み２７、２８、磁気遮蔽部１８の空洞２２、ボビン１２に設けられた肉盗み２９、位置決め２５の切欠き３０、リングコア２３の第２受渡部２３ｂの外周側に形成される領域Ｃ、および、ヨーク９の底部９ｂに設けられた溝３１等により構成される。
【００３１】
まず、第２の呼吸路６Ｂには、主に、コネクタ１４とフランジ部１６ａとにより挟まれて形成される隙間から上下に分かれてオイルが流入する（図４等参照。）。そして、隙間から流入したオイルは肉盗み２７に流入する。肉盗み２７は、フランジ部１６ａの軸方向他端面に設けられており、吸引部１６ｂおよびコネクタ１４の上下に広がり、軸方向他端側から見て吸引部１６ｂをＣ字状に包囲するように見える。
【００３２】
このため、オイルは、上下の肉盗み２７に分かれて流入し、上下それぞれの肉盗み２７で周方向に旋回して肉盗み２８に流入する。このとき、肉盗み２７では、オイルが旋回して軸方向以外に周方向に流速成分が生じ、さらに、上側の肉盗み２７では、周方向に流速成分が生じることで鉛直上向きに流速成分が発生する。
【００３３】
ここで、第２の呼吸路６Ｂにおいて、流体が旋回して軸方向以外に周方向に流速成分が生じることで鉛直上向きに流速成分が発生する流路範囲を特定流路範囲３３と定義し、以下、特定流路範囲３３について詳述する。
特定流路範囲３３は、第２の呼吸路６Ｂを迷路構造にする上で必要となるものである。ここで、迷路構造とは、オイルに含まれる異物がプランジャ４と摺動コア１７との摺接領域に到達するのを回避する（つまり、領域Ｂに到達するのを回避する）ことができる流路構造である。
【００３４】
すなわち、プランジャ４の移動停止によりオイルの流れが止まると、オイルに含まれる異物が重力により沈降し、オイルの上澄み部と異物の濃縮部とに分かれる。そこで、異物が領域Ｂに到達するのを回避する観点から、上澄み部に留まるオイルのみ、以降のプランジャ４の移動開始に伴い流れるのが好ましい。そこで、特定流路範囲３３を第２の呼吸路６Ｂに設定し、特定流路範囲３３にて鉛直上向きに流速成分を発生させて上澄み部のオイルのみが流れるようにして異物が領域Ｂに到達するのを回避する。
【００３５】
そして、異物が領域Ｂに到達するのを確実に回避して第２の呼吸路６Ｂを迷路構造とするため、特定流路範囲３３は、θに関し合計で９０°以上の角度範囲となるように形成するのが好ましい。また、特定流路範囲３３は、分散して設けてもよく一連で設けてもよい。つまり、特定流路範囲３３は、θに関し合計で９０°以上の角度範囲となるように分散して設けてもよく、一連で設けてもよい。
【００３６】
そして、上側の肉盗み２７は、主に、図示左側の範囲が特定流路範囲３３であり、オイルは、鉛直上向きの流速成分を持ちながら旋回して上側の肉盗み２８に流入する。また、上側の肉盗み２７における旋回角は、例えば、３０°〜６０°であり、特定流路範囲３３としての角度範囲はθに関して３０°〜６０°である。
【００３７】
肉盗み２８は、吸引部１６ｂの外周面に上下に分かれて設けられ、上下の肉盗み２８がそれぞれ上下の肉盗み２７と接続している。そして、肉盗み２８に流入したオイルは、軸方向他端側に向って直進し、空洞２２に流入する（図１、図４および図５等参照。）。
【００３８】
空洞２２は、ζ軸の周囲で全周に渡り円筒状に設けられている。このため、上側、下側の肉盗み２８から空洞２２に流入したオイルは、それぞれ鉛直下向き、鉛直上向きの流速成分を持ちながら旋回して合流し、肉盗み２９に流入する（図２、図５および図６等参照。）。このため、空洞２２の下側の領域は、特定流路範囲３３である。また、空洞２２の下側の領域における旋回角は０〜９０°であり、特定流路範囲３３としての角度範囲はθに関して０〜９０°である。
【００３９】
肉盗み２９は、ボビン１２の内周において図６の図示右側に設けられ、空洞２２と連通している。そして、肉盗み２９に流入したオイルは、軸方向他端側に向って直進し、位置決め２５に設けられた切欠き３０から領域Ｃに流入する（図７、図８等参照）。
領域Ｃは、第２受渡部２３ｂの外周側に形成される円環形状の領域であり、ヨーク９の側部９ｃにより外周側を画され、底部９ｂにより軸方向他端側を画されている。そして、領域Ｃに流入したオイルは、溝３１を経由して領域Ｂに流入する。
【００４０】
ここで、切欠き３０は、周方向に関して（θに関して）、肉盗み２９とほぼ同じ範囲に設けられ、溝３１は、第２受渡部２３ｂの軸方向他端面において図８の図示左側に設けられ、第２受渡部２３ｂの内外周を連通している。これにより、肉盗み２９および切欠き３０を通過したオイルは、領域Ｃの上下に分流して旋回した後、溝３１で合流して領域Ｂに流入する。このため、領域Ｃの上側を流れるオイルは、図８の図示右側半分の領域にて鉛直上向きの流速成分を持ちながら旋回し、領域Ｃの下側を流れるオイルは、図８の図示左側半分の領域にて鉛直上向きの流速成分を持ちながら旋回する。
【００４１】
したがって、領域Ｃの内、図８の図示上側かつ右側半分の１／４の領域、および、図示下側かつ左側半分の１／４の領域は特定流路範囲３３である。また、図８の図示上側かつ右側半分の１／４の領域、および、図示下側かつ左側半分の１／４の領域における旋回角は両方とも９０°であり、特定流路範囲３３としての角度範囲はθに関して９０°である。
【００４２】
以上のような流路構造により、第２の呼吸路６Ｂは、方位αを鉛直下向きに指向させても（図９〜図１３参照。）、方位αが鉛直上向きを指向しているときと同様の特定流路範囲３３を形成することができ迷路構造となる。
【００４３】
〔実施例の効果〕
実施例のリニアソレノイド１によれば、第２の呼吸路６Ｂは、コイル２の内周側、かつ、ステータコア５の外周側に形成される。そして、第２の呼吸路６Ｂでは、プランジャ４の軸方向への移動に応じ、オイルが軸方向に移動してヨーク９の外周側の領域との間で流出入する。
これにより、第２の呼吸路６Ｂでは、コイル２の外周側に形成された従来の呼吸路よりも、コイル２への通電に伴う発熱によってオイルを加熱しやすくなる。このため、リニアソレノイド１において、従来よりも速やかにオイルを温めることができるので、プランジャ４の移動を円滑にして応答性を高めることができる。
【００４４】
また、リニアソレノイド１のζ軸の方向を水平方向に略一致させ、かつ、θに関して方位αを鉛直上向きに指向させた状態で、コイル２に通電してプランジャ４を軸方向に移動させると、第２の呼吸路６Ｂには、オイルの旋回により鉛直上向きに流速成分が発生する特定流路範囲３３が形成される。また、特定流路範囲３３は、θに関し合計で９０°以上の角度範囲となるように形成される。さらに、特定流路範囲３３は、ζ軸の方向を水平方向に略一致させ、かつ方位αを鉛直下向きに指向させたときにも、θに関し合計で９０°以上の角度範囲となるように形成される。
【００４５】
これにより、リニアソレノイド１を天地逆転させる前後、いずれでも第２の呼吸路６Ｂを迷路構造として領域Ｂに異物が到達するのを回避することができる。このため、リニアソレノイド１の搭載場所に対する自由度を高めることができる。例えば、図１４に示すように、油圧制御装置３の左右どちらの側からリニアソレノイド１を装着しても、第２の呼吸路６Ｂを迷路構造として領域Ｂに異物が到達するのを回避することができる。
なお、呼吸路を迷路構造とするには、呼吸路をコイル２の外周側に形成するよりも内周側に形成する方が有利である。
【００４６】
つまり、コイル２の内周側では、磁気遮蔽部１８を設ける必要性から摺動コア１７の外周や吸引部１６ｂの外周とコイル２の内周との間に径方向に関して所定の距離を保つ必要があり、特定流路範囲３３の設定位置に関して自由度が高い。これに対し、コイル２の外周側は、体格低減等の観点からスペース的に余裕がなく、特定流路範囲３３の設定位置に関して自由度が低い。このため、コイル２の内周側は、コイル２の外周側よりも特定流路範囲３３を設定する自由度が高く、呼吸路を迷路構造とする上で有利である。
【００４７】
〔変形例〕
リニアソレノイド１の構成は、実施例に限定されず、種々の変形例を考えることができる。特に、第２の呼吸路６Ｂの構成や特定流路範囲３３の設定は実施例に限定されず、様々な態様を考えることができる。
【符号の説明】
【００４８】
１  リニアソレノイド  ２  コイル  ４  プランジャ  ５  ステータコア  ６Ｂ  呼吸路
１６  磁気吸引コア  １７  摺動コア  １８  磁気遮蔽部  
【図１】
2015034576.tif 000003
【図２】
2015034576.tif 000004
【図３】
2015034576.tif 000005
【図４】
2015034576.tif 000006
【図５】
2015034576.tif 000007
【図６】
2015034576.tif 000008
【図７】
2015034576.tif 000009
【図８】
2015034576.tif 000010
【図９】
2015034576.tif 000011
【図１０】
2015034576.tif 000012
【図１１】
2015034576.tif 000013
【図１２】
2015034576.tif 000014
【図１３】
2015034576.tif 000015
【図１４】
2015034576.tif 000016